(57)【特許請求の範囲】
【請求項１】
荷吊り用のブーム（１１）及びこれを取付ける架台（１３）を有するデリック本体（Ｃ
）と、前記デリック本体（Ｃ）の下部の旋回軸（１３ｂ）を介してデリック本体（Ｃ）に回転自在、かつ着脱自在に接続され、デリック本体（Ｃ）を上端で支持する支柱（１４）と、この支柱（１４）を鉄塔（Ｔ）の任意の高さ位置で鉄塔の主柱材（ＴＦ）に対して吊下げ保持するせり移動用吊りワイヤ（Ｗｂ）、前記主柱材（ＴＦ）に対して着脱自在の金車を経由して前記せり移動用吊りワイヤ（Ｗｂ）を巻き取る地上設置のウインチ（３ｂ）、及びサポート材（１５）を含む保持手段（Ｓ）と、前記ブーム（１１）の先端から垂らした荷重ワイヤ（ＷＨ）を巻き取る地上設置のウインチ（３ａ）をそれぞれ組立可能に備え、支柱（１４）は無負荷のデリック本体（Ｃ）のせり下げ、又はせり上げのせり移動時にデリック本体（Ｃ）を保持手段（Ｓ）により起立姿勢を保持可能な長さとし、鉄塔（Ｔ）の解体、又は組立の高さに応じてデリック本体（Ｃ）と支柱（１４）を下方、又は上方に移動させて、鉄塔（Ｔ）の解体、組立てを行うようにし、さらに、前記ウインチ（３ａ）から繰り出された前記荷重ワイヤ（ＷＨ）を、前記支柱（１４）の外部に沿わせて上方に案内し、前記支柱（１４）の上端付近で支柱の内側に入り込ませ、パイプで形成された前記旋回軸（１３ｂ）の内部を通して前記ブーム（１１）の先端に導くようにした簡易組立式デリック。
【請求項２】
前記デリック本体（Ｃ）の架台（１３）上にトラスポスト（１２）と起伏ウインチ（３
ｃ）を設け、前記ブーム（１１）の先端からトラスポスト（１２）の上端に設けた金車（
１６ａ）を経て導かれる起伏ワイヤ（ＷＬ）を前記起伏ウインチ（３ｃ）で巻取ってブー
ム（１１）の俯仰角を調整するようにしたことを特徴とする請求項１に記載の簡易組立式
デリック。
【請求項３】
前記支柱（１４）が、鉄塔（Ｔ）の解体、組立時の高さに応じて長さを調整可能とする
ために複数の支柱部材を分離可能に連結したものから成ることを特徴とする請求項１又は
２に記載の簡易組立式デリック。
【請求項４】
前記保持手段（Ｓ）が、一端を前記支柱（１４）の上端に回転自在に接続し、他端を斜
め下方において鉄塔の前記主柱材（ＴＦ）に着脱自在に接続するサポート材（１５）と、
前記支柱（１４）に取付けた金車（１６ｉ）とその金車よりも上方で前記主柱材（ＴＦ）
に取付けた金車（１６ｈ）との間に掛け渡すせり移動用吊りワイヤ（Ｗｂ）と、前記金車
（１６ｉ）よりも下方において前記支柱（１４）と前記主柱材（ＴＦ）との間に張設して
支柱（１４）の下端側を振れ止めする水平支線（Ｗａ）とから成ることを特徴とする請求
項１乃至３のいずれかに記載の簡易組立式デリック。
【請求項５】
前記せり移動用吊りワイヤ（Ｗｂ）を、前記鉄塔（Ｔ）の解体、組立時の高さに応じて
前記主柱材（ＴＦ）に着脱自在に取付ける金車を経て地上のウインチ（３ｂ）で巻取るよ
うに設けたことを特徴とする請求項１乃至４のいずれかに記載の簡易組立式デリック。
【請求項６】
前記デリック（１０）のせり移動時に、デリック本体（Ｃ）と支柱（１４）の起立姿勢
を保持するための介添ワイヤを地上と前記支柱（１４）との間に張設したことを特徴とす
る請求項１乃至５のいずれかに記載の簡易組立式デリック。
【発明の詳細な説明】
【技術分野】
【０００１】
この発明は、鉄塔の主柱材に高さに応じて取付け、取外しながら鉄塔を解体、組立するために用いられる簡易組立式デリックに関する。
【背景技術】
【０００２】
架空送電線等を支持する鉄塔は、山地、市街地等様々な場所に設置されるが、時代の経過と共に古くなった鉄塔は建替えが要求される。また、新たに別の場所に新しい鉄塔が設置されたために不要になった古い鉄塔は解体することが要求される。このような鉄塔の新設組立時、あるいは解体時に用いられる工法として、台棒工法、鉄塔内設置せり上げクレーン工法、移動式クレーン工法等が知られている。台棒工法は、鉄塔の複数の柱体のいずれか一箇所に台棒（ブーム）の基部を取付け、地上のウインチからブーム先端の金車（滑車）にワイヤを通して台棒の傾斜角度を設定し、その状態で台棒の下面に沿って張設される吊上げワイヤをウインチで引張り、あるいは繰出してワイヤ先端の吊具（フック）で鉄塔の構成部材を昇降させ、鉄塔の解体、組立てを行なう工法である。
【０００３】
鉄塔内設置せり上げクレーン工法は、鉄塔内の架台簡易組立式クレーンの鉄柱上にクレーンを設置し、鉄塔の組立てに合わせてクレーンを鉄塔の主柱材にワイヤで支持しながら鉄柱をせり上げてクレーンを所定の高さとし、鉄塔の組立てを行なう工法である。又、移動式クレーン工法は、トラッククレーンを用いて鉄塔の組立てをする工法である。
【０００４】
台棒工法は、鉄塔の規模、構造等に拘らず柔軟に対応可能な工法であるが、台棒を支持する支線の固定部を鉄塔から数１０ｍ離れて固定するため、広い土地を必要とする。移動式クレーン工法も広い土地を必要とする。又、鉄塔内設置せり上げクレーン工法は、このような広い土地を必要としないが、鉄塔最上部付近の主柱材相互の水平間隔を大きくしなければならないという制約がある。このため、特許文献１の「鉄塔組立工法」は、鉄塔の外部に組立クレーンを設置し、鉄塔を組立てる外部式鉄塔組立工法を提案している。
【０００５】
上記工法に用いられるクレーンは、鉄塔の組立高さに応じて嵩上げもしくはせり上げし、嵩上げもしくはせり上げた鉄塔との間に水平支持部材を架設し、この水平支持部材に歩廊を設けた外部式鉄塔組立クレーンである。この外部式鉄塔組立クレーンは、従来の鉄塔内設置せり上げクレーン工法で用いられるクレーンが、鉄塔最上部付近の主柱材相互の水平間隔内を通過できるものでなければならないという制約を避けるため、外部設置式クレーンとしている。
【０００６】
しかし、従来の鉄塔内設置せり上げクレーン工法に用いられるクレーン、あるいは特許文献１による外部設置式クレーンのいずれも、組立時にはクレーンを支持する鉄柱を所定長さになるまで継ぎ足し、それぞれの長さの鉄柱上に支持されたクレーンにより鉄塔の組立作業が行なわれる。解体時には組立と反対の工程で作業が行なわれる。このため、組立時、解体時のいずれでも、鉄塔内または鉄塔外に鉄柱やマストを積上げて、その上にクレーンを搭載することとなる。従って、鉄柱やマストはウインチなどを介在させた機械式又は油圧式の装置により、積上げて延ばすことになり、装置が大がかりとなる上に、液圧配管や電気コードなどを接続する必要があり、機構も複雑になる。
【０００７】
一方、鉄塔内設置せり上げクレーン工法に用いられる従来のクレーン装置の他の例として、特許文献２の「クレーン装置」が公知である。このクレーン装置は、鉄塔内せり上げ方式という点で従来のせり上げクレーン装置と共通であるが、特許文献１中に記載の従来例のようにクレーンを支持するための鉄柱を積上げて基部を支持する構造ではなく、クレーンは短い支柱を油圧力などで伸縮させる形式としている点が異なる。
【０００８】
又、特許文献２のクレーン装置では、クレーンの鉄塔に対する所定高さ位置で水平な支持ロッドにより固定し、所定高さ位置での作業が終ると、この支持ロッドを取外すようにしている。しかし、この水平支持ロッドを取外すと、垂直な支柱が短いため、クレーンの支持が極めて不安定となり、作業の安全性の確保のための対策を必要とする。
【先行技術文献】
【特許文献】
【０００９】
【特許文献１】特開平５−２８６６９４号公報
【特許文献２】特開２００５−２９３６４号公報
【発明の概要】
【発明が解決しようとする課題】
【００１０】
この発明は、上記の問題に留意して、鉄塔等の構造物の解体、組立時に広い作業敷地を必要とせず、鉄塔の主柱材に囲まれたスペース内で前記主柱材に係止して解体、組立作業ができ、作業のためデリックの構成部材を鉄塔内で組立可能、かつシンプルな構成とすることにより経済的なコストで製作でき、作業効率のよい簡易組立式デリックを提供することを課題とする。
【課題を解決するための手段】
【００１１】
この発明は、上記の課題を解決する手段として、荷吊り用のブーム及びこれを取付ける
架台を有するデリック本体と、前記デリック本体の下部の旋回軸を介してデリック本体に
回転自在、かつ着脱自在に接続され、デリック本体を上端で支持する支柱と、この支柱を
鉄塔の任意の高さ位置で鉄塔の主柱材に対して吊下げ保持するせり移動用吊りワイヤ、前
記主柱材に対して着脱自在の金車を経由して前記せり移動用吊りワイヤを巻き取る地上設
置のウインチ、及びサポート材を含む保持手段と、前記ブームの先端から垂らした荷重ワ
イヤを巻き取る地上設置のウインチをそれぞれ組立可能に備え、支柱は無負荷デリック本
体のせり下げ、又はせり上げのせり移動時にデリック本体を保持手段により起立姿勢を保
持可能な長さとし、鉄塔の解体、又は組立の高さに応じてデリック本体と支柱を下方、又
は上方にせり移動させて、鉄塔の解体、組立てを行うようにし、さらに、前記ウインチから繰り出された前記荷重ワイヤを、前記支柱の外部に沿わせて上方に案内し、前記支柱の上端付近で支柱の内側に入り込ませ、パイプで形成された前記旋回軸の内部を通して前記ブームの先端に導く簡易組立式デリックとしたのである。
【００１２】
上記の構成の簡易組立式デリックによれば、鉄塔の塔内にデリックの各構成部材を組立て、鉄塔の上部へ持上げ、又は地上から少しずつ持上げて鉄塔の解体、組立をすることができる。デリックは、塔内に設置されるため、広い作業場を必要とせず、デリック本体と支柱を接続し、鉄塔の主柱材に保持手段により係合させて使用される。保持手段は、せり移動用吊りワイヤでデリックを鉄塔の任意の高さ位置に吊下げ、かつ、サポート材で保持して水平支線で振れ止めし、デリック本体と支柱を垂直起立姿勢にして保持する。
【００１３】
この起立姿勢での保持は、デリック本体の下部に接続された支柱がデリック本体の保持に対して十分長く設定され、この支柱を鉄塔の主柱材との間に張設されるせり移動用吊りワイヤで吊下げて所定位置に移動させ、前記主柱材との間を保持手段の主体となるサポート材でつないでデリックを固定し、支柱のバランスの取れる部分を水平支線で鉄塔の主柱材につないで、起立姿勢を保持する。この起立姿勢の保持を行って、鉄塔上部の主柱材や関連部材を解体し、デリックのブームから垂れ下がった荷重ワイヤで吊り上げて鉄塔から取り外し、地上へ降す。また、組立時には上記とは逆に地上から主柱材や関連部材をブームで吊り上げてデリックの取付け位置より上方に取付けて作業を進める。
【００１４】
上方、又は下方での部分解体、部分組立作業が終ると、デリック本体と支柱を保持手段のせり移動用吊りワイヤでせり移動させ、移動後の位置に保持する。この場合、サポート材と水平支線を一旦鉄塔から外し、この状態でせり移動用吊りワイヤを延ばしてデリック本体と支柱の高さ位置を変化させる。鉄塔解体の場合は、せり移動用吊りワイヤを延ばしてデリック本体と支柱を所定高さ低い位置へ、鉄塔組立の場合はせり移動用吊りワイヤの主柱材への係止位置を上方へ移動させ、その後、せり移動用吊りワイヤをウインチで巻き取ってデリック本体と支柱を所定高さ高い位置へ移動させる。
【００１５】
なお、デリック本体と支柱をせり移動させる際にデリックの起立状態を安定させるために介添ワイヤを地上との間に設置し、これにより起立状態を保持するとよい。所定高さ変位した位置にデリックを移動させた後に、再び保持手段によりデリックを保持して鉄塔等構造部材の解体、組立を行い、このような作業を繰り返すことにより鉄塔全体の解体、組立が行なわれる。
【発明の効果】
【００１６】
以上のように、この発明の簡易組立式デリックは、ブームを有するデリック本体と、その下部に接続される支柱と、これらを鉄塔の主柱材に係合、吊下げ保持する保持手段と、デリックのブーム先端から垂らした荷重ワイヤを巻き取るウインチにより構成したから、このデリックを鉄塔等の主柱材の枠内に設けることにより鉄塔等の解体、組立作業時に広い設置、作業場所を必要とせず、保持手段により鉄塔の主柱材に鉄塔上方に飛び出すようにして保持され、デリックによる吊り下げ昇降作業を可能とし、高さ位置を保持手段の操作により異なる位置へと移動することができ、このような作業を行い、簡易な構成により経済的なコストで製作できるという利点が得られる。
【図面の簡単な説明】
【００１７】
【図１】実施形態の簡易組立式デリックを鉄塔に吊り下げた状態の全体概略構成図
【図２】同上の簡易組立式デリックの分解模式図
【図３Ａ】ブームの（ａ）外観斜視図、（ｂ）側面図
【図３Ｂ】トラスポスト及び架台の（ａ）側面図、（ｂ）背面図、（ｃ）架台の拡大斜視図
【図３Ｃ】支柱を分解した（ａ）上部支柱、（ｂ）中間支柱、（ｃ）下部支柱のそれぞれ外観斜視図
【図３Ｄ】サポート材の（ａ）斜め平面図、（ｂ）側面図
【図４】（ａ)デリックを鉄塔の任意の高さ位置に取付けた状態を示す図、（ｂ）せり移動用吊りワイヤを４本使用したときのワイヤ配置の一例を示す平面図、（ｃ）せり移動用吊りワイヤを４本使用したときのワイヤ配置の一例を示す平面図
【図５Ａ】鉄塔の分解作業の説明図（準備作業）
【図５Ｂ】鉄塔の分解作業の説明図（設置作業）
【図５Ｃ】鉄塔の分解作業の説明図（せり下げ作業）
【図５Ｄ】鉄塔の分解作業の説明図（せり下げ作業）
【図５Ｅ】鉄塔の分解作業の説明図（せり下げ作業）
【図５Ｆ】鉄塔の分解作業の説明図（デリック分解作業）
【発明を実施するための形態】
【００１８】
以下、この発明の実施の形態について図面を参照して説明する。図１は実施形態の簡易組立式デリック（以下では単にデリックとも言う）１０を鉄塔Ｔに宙吊りした状態の全体概略正面図であり、図示の例では、鉄塔Ｔを解体する場合の初期状態を示している。鉄塔Ｔを解体する手順については後述するが、図１では鉄塔Ｔの頂部付近に金車（滑車）１、１を取付け、吊上げワイヤ２を地上から持上げて上記金車１、１に掛けた後、吊上げワイヤ２の先端をデリック１０の支柱１４に連結して全体を中間高さに吊り上げた状態を示している。吊上げワイヤ２は、地上ではウインチ３ｂのドラムに巻かれ、このウインチ３ｂによりデリック１０を吊り上げる。
【００１９】
簡易組立式デリック１０は、図２の分解正面図に示すように、荷吊り用のブーム１１、このブーム１１の傾きを支えるためのトラスポスト１２、上記ブーム１１、及びトラスポスト１２を取付ける架台１３を有するデリック本体Ｃと、このデリック本体Ｃを支持する支柱１４と、鉄塔の主柱材に固定して支柱１４を保持するサポート材１５、及び後述するワイヤ類を含む保持手段Ｓとを備えている。
【００２０】
ブーム１１は、図示の例では、上部、２つの中間部、下部の４つのブーム部材をボルト、ナット等の固定手段により１本に連結されたもので、組立状態ではその下部は端部アイプレートを介して架台１３上の支持板１３ａに対し、回転自在に連結される。ブーム１１を支持する架台１３は、平面視四角形の台状とされ、その上面に２枚の支持板１３ａ（図３Ａ、図３Ｂ参照）が立設され、この支持板１３ａにブーム下端が軸により連結されている。又、架台１３には、その上にトラスポスト１２が連結固定されている。このトラスポスト１２は、側面が細長い略三角状のトラス枠により形成され、背面視では細長い略長方形状とされている。
【００２１】
トラスポスト１２の上端と高さ中間部には金車（滑車）１６ａ、１６ｂがブラケットを用いて取付けられ、ブーム１１の先端と基端にも金車１６ｃ、１６ｄが取付けられ、さらに架台１３上には支持板１３ａに支持された金車１６ｅと起伏ウインチ３ｃが設置されている。トラスポスト１２の金車１６ａ、１６ｂには、ブーム１１の俯仰角を設定するための起伏ワイヤＷＬが掛け渡され、その起伏ワイヤＷＬの先端はブーム１１の先端に係止しており、同ワイヤの他端は起伏ウインチ３ｃのドラムに巻かれている。図示の起伏ウインチ３ｃは、地上から給電して駆動する動力ウインチであるが、手動ウインチでもよい。この起伏ウインチ３ｃは、地上に設置することも可能である。ただし、図のようにデリックの架台１３上に設けると、地上から立ち上げるワイヤの数が減少してワイヤ相互の絡みの懸念が小さくなる。
【００２２】
ブーム１１の金車１６ｃ、１６ｄ及び支持板１３ａに取付けた金車１６ｅには荷を吊るす荷重ワイヤＷＨが掛け渡される。この荷重ワイヤＷＨの先端は、フックなどを取付けてブーム１１の先端から吊り下げられる。荷重ワイヤＷＨの他端側は金車１６ｅを経て地上に至り、地上のウインチ３ａのドラムに巻かれる。
【００２３】
架台１３の中央には、架台１３とトラスポスト１２を回転させるための旋回軸１３ｂが架台１３の底から下方へ突出して設けられている。その旋回軸１３ｂは中空のパイプで構成されており、その旋回軸１３ｂの内側に荷重ワイヤＷＨが通されている。
【００２４】
地上のウインチ３ａから繰り出された荷重ワイヤＷＨは、支柱１４の外部に沿わせて上方に案内し、支柱１４の上端付近で支柱１４に取付けた金車１６ｆ、１６ｇに掛けて支柱１４の内側に入り込ませ、旋回軸１３ｂの内側に通して金車１６ｅ、１６ｄ、１６ｃ経由でブーム１１の先端に導いている。このように、荷重ワイヤＷＨをブーム１１の旋回中心に通すと、ブーム１１の旋回に支障が出ない。また、荷重ワイヤＷＨは、支柱１４の上端付近までは支柱の外側に沿わせているので、支柱１４の下側部分の接続と切り離しも支障
なく行える。
【００２５】
支柱１４は、図４（ａ）では、上部支柱１４ａ、２つの中間支柱１４ｂ、１４ｂ、下部支柱１４ｃの４つの部分支柱を直線的に連結して形成される。上部支柱１４ａの上端には、架台１３を回転自在に支持するヘッド部材１４Ｓを有し、その直ぐ下方で互に上部支柱１４ａを挟んで対向する位置に一対の連結板１４ｔ、１４ｔが設けられている。
【００２６】
上記一対の連結板１４ｔ、１４ｔには、それぞれ一対のサポート材１５、１５が一端のアイプレート１５ｂ（図３Ｄ参照）を介して着脱自在に連結される。一対のサポート材１５、１５は、これもそれぞれ中間付近で２つに分割されたものを１本に連結し、端末付近には鉄塔の主柱材Ｔｆに傾斜姿勢にして連結するための連結具１５ａが備えられている。上記サポート材１５は、図３Ｄの（ａ）に示すように、２つの脚材１５Ｌ、１５Ｌの上端を互いに連結し、下方は２つの連結材１５as、１５asにより互いに所定寸法開いた細長い略三角状に形成したものである。
【００２７】
図３Ｄ（ａ）において右上の連結材１５asは、脚材１５Ｌ、１５Ｌに固定されており、サポート材１５を図１のように垂れ下がった状態にして地上のウインチ３ｂで吊上げた後、そのサポート材１５の他端（下端）を外側に広げて鉄塔の主柱材Ｔｆを脚材１５Ｌ、１５Ｌ間に入り込ませ、その後、他の１つの連結材１５asを脚材１５Ｌ、１５Ｌに取付けて２個の連結材１５as，１５asで主柱材Ｔｆを挟む。これにより、サポート材１５が傾斜姿勢で主柱材Ｔｆに固定され、サポート材１５によるデリック１０の支持がなされる。
【００２８】
図４（ａ）に、サポート材１５を含む保持手段Ｓによりデリック１０を鉄塔Ｔの任意の高さ位置に取付けた状態を示す。デリック１０をサポート材１５だけで所望の高さ位置に固定すると固定の安定性が不十分になる虞があるので、図４（ｂ)に示すように４本のせり移動用吊りワイヤＷｂ（この例ではせり下げ用）を主柱材ＴＦと支柱１４との間に張設し、又は図４（ｃ）に示すように、２本のせり移動用吊りワイヤＷｂを鉄塔の対角位置において主柱材ＴＦと支柱１４との間に張設し、さらに、主柱材ＴＦの適宜位置から支柱１４の適当な高さ位置との間に好ましくは４本の振れ止め用の水平支線Ｗａを張設して支持をサポートするとよい。水平支線Ｗａは、図示しない係止部材（締付具、シャックル等を含む）で一端を主柱材ＴＦに固定し、他端は支柱１４に連結する。せり移動用吊りワイヤＷｂは、一端を鉄塔の主柱材ＴＦで引き留め、その主柱材ＴＦと支柱１４にそれぞれ取付けた金車１６ｈ、１６ｉ間に掛け渡して他端を地上のウインチ３ｂのドラムに巻込む。鉄塔側の金車のひとつは、主柱材ＴＦ間に張り渡した補助水平支線Ｗａｓで支持しているが、鉄塔の関連部材があればそれで支持してもよい。
【００２９】
以上述べた実施形態の簡易組立式デリック１０を用いて鉄塔Ｔを解体する作業を、図５Ａ〜図５Ｅを参照して説明する。まず、解体を始める前に、図５Ａに示すように、デリック１０を地上から鉄塔Ｔの上部へ吊上げるための準備をする。地上において鉄塔Ｔ内で予めブーム１１とトラスポスト１２を架台１３に取付け、架台１３上に起伏ウインチ３ｃを搭載してデリック本体Ｃを組み立てる。そして、その下方に上部支柱１４ａを連結し、さらに、この上部支柱１４ａにサポート材１５を連結してデリック１０の大略部分を組立てる。荷重ワイヤＷＨをブーム１１の金車に掛け、その荷重ワイヤＷＨの端部を金車１６ｊに掛けてウインチ３ａのドラムに巻付けておく。金車１６ｊは、鉄塔の主柱材の基端間に支線（図示せず）を渡してその支線で引き留めるなどの方法で定位置に保持することができる。
【００３０】
一方、デリック１０の吊上げワイヤ２は、その先端をデリック本体Ｃの下方において上部支柱１４ａに連結し、鉄塔Ｔの頂部に取付けた金車（滑車）１を経由して地上のウインチ３ｂのドラムに他端を巻込む。図５Ａに示すように、デリック１０は、上部支柱１４ａ上に未完成状態で組立てられているため、吊上げワイヤ２により少しずつ持上げて上部支柱１４ａの下に２本の中間支柱１４ｂ、１４ｂと下部支柱１４ｃを順次連結する。支柱１４が図４のように１本に連結されたら、吊上げワイヤ２をウインチ３ｂで巻き込んでデリック１０の全体を鉄塔Ｔの上部へ引上げる。
【００３１】
鉄塔Ｔの内側にデリック１０の引上げの妨げになる構造部材があれば予め取除いておき、鉄塔Ｔの上部では四隅の主柱材ＴＦ間の距離が短いため、主柱材ＴＦ間の水平連結材にブーム１１の先端が当らないよう注意しながらデリック１０の全体を鉄塔の上部へ引上げる。なお、ブーム１１及びトラスポスト１２の向きは、架台１３が回転自在に支持されているため、任意の方向へ向けることができ、鉄塔の四隅の主柱材ＴＦの対角方向に向けるとブームの引上げがしやすくて都合がよい。
【００３２】
図５Ｂに示す鉄塔上部までデリック１０の全体が引上げられると、デリック１０を鉄塔上部の位置で四隅の主柱材ＴＦに対し高さ位置Ｈ６に固定する。この固定は、サポート材１５と、水平方向の振れを止める水平支線Ｗａを組み合わせた保持手段Ｓにより行なわれる。吊上げワイヤ２で引き上げて目標とする高さ位置Ｈ６まで吊上げ、サポート材１５を停止し、この状態でせり移動用吊りワイヤＷｂを図４で説明した滑車１６ｈ，１６ｉ間に掛け渡し、このせり移動用吊りワイヤＷｂを緊張させて緩まないように適当な方法で仮止めする。
【００３３】
この後、吊上げワイヤ２を鉄塔Ｔの頂部の金車１、１から外し、２本又は４本のせり移動用吊りワイヤＷｂを鉄塔に取付けた金車との間に掛け渡して緊張する。せり移動用吊りワイヤＷｂの１本は吊上げワイヤ２を転用できる。ウインチ３ｂもせり移動用吊りワイヤＷｂの巻き取りに転用するとよい。せり移動用吊りワイヤＷｂの使用本数を２本とする場合、２個のドラムを並列に配置したいわゆるＷ  ウインチを使用して図４（ｃ）のように同一箇所で操作すると２本のせり移動用吊りワイヤＷｂのワイヤの巻き取り、繰り出しの調整（バランスを保つための調整）がしやすくて好ましい。
この状態でデリック１０は高さ位置Ｈ６に固定される。固定後のデリック１０は、ブーム１１が鉄塔Ｔ上に突出し、そのブーム１１の先端から垂らした荷重ワイヤＷＨで分解された鉄塔の構造材を吊り下げて地上に降ろす。なお、デリック１０の全体を引上げる際には、ブーム１１を出来るだけ垂直に近い状態に起こしておく。
【００３４】
デリック１０を最上高さ位置Ｈ６に固定し終えたら、デリック１０による鉄塔Ｔの解体を開始する。図５Ｂに示すように、高さ位置Ｈ６よりも上にある、架空線支持用の２段のアームや主柱材ＴＦを、それらを固定していたボルト、ナットを外して適宜位置で分解し、分解後の構造材を荷重ワイヤＷＨの下端の吊り具（フックなど）で吊し、ウインチ３ａから荷重ワイヤＷＨを繰出して地上へ降す。解体作業時にブーム１１を鉄塔Ｔ内で種々の方向へ回転させる場合、作業員が人手でブームを押すと架台１３が旋回軸１３ｂを介して回転することにより任意の方向へ自由に回転できる。高さ位置Ｈ６より上部の構造部材が全て解体されると、図５Ｃに示すように、デリック１０を高さ位置Ｈ４へ降すせり移動（せり下げ、少しずつゆっくりと降すの意）の作業を行なう。
【００３５】
このせり移動は、まず、せり移動用吊りワイヤＷｂを引き留めた状態で高さ位置Ｈ６において取り付けられていた水平支線Ｗａとサポート材１５を四隅の主柱材ＴＦから外し、サポート材１５を垂直にぶら下げる。その後、図５Ｃに示すように、ウインチ３ｂからせり移動用吊りワイヤＷｂを繰り出してデリック１０の全体を図５Ｃに示す高さ位置Ｈ４まで降す。このとき、地上と支柱１４の下端との間に介添ワイヤを張設するとデリック本体Ｃと支柱１４の起立姿勢を保持が安定する。そのような手法も必要に応じて採用してよい。
【００３６】
高さ位置Ｈ４に降ろしたデリック本体Ｃは再び鉄塔に固定する。サポート材１５の下端を再度広げて鉄塔Ｔの四隅の主柱材ＴＦにそれぞれ固定し、かつ、４本の水平支線Ｗａをそれぞれ主柱材ＴＦに連結するとデリック本体Ｃの固定がなされる。なお、高さ位置Ｈ１〜Ｈ６は、説明の便宜上設定した位置符号であり、デリックの固定位置はこの高さ位置に限定されるものではない。
【００３７】
サポート材１５と水平支線Ｗａによる高さ位置Ｈ４でのデリック本体Ｃの固定が完了したら、図４（ａ）の金車１６ｈを一旦鉄塔から取外し、この金車を高さ位置Ｈ４に対応した位置に移して鉄塔Ｔに再度取付ける。そして、各せり移動用吊りワイヤＷｂを緊張する。こうして、デリック１０の固定を安定させ、高さ位置Ｈ４においてその位置よりも上側の構造要素を解体する。この場合、まず高さ位置Ｈ５よりも上側の主柱材ＴＦを、デリック本体Ｃを人手で旋回させながら各４つの面材ごとに外すことにより、四隅が主柱材ＴＦで囲まれている鉄塔であっても少しずつ解体することができる。高さ位置Ｈ５よりも上側の構造要素が解体されたら、次に、高さ位置Ｈ４とＨ５の間の構造要素を同じ手順で解体する。
【００３８】
さらに、鉄塔を高さ位置Ｈ４からＨ３まで解体するため、高さ位置Ｈ６からＨ４へデリック１０全体を降したのと同じ手順でデリック１０の全体を、図５Ｄに示すように、高さ位置Ｈ３まで降し、既述の方法でデリック本体Ｃの固定を行った後、高さ位置Ｈ３からＨ４の鉄塔構造を同様の手順で解体する。高さ位置Ｈ３までの解体が終ると、さらにデリック１０を降す際に、支柱１４の下端が地面に当るため、予め支柱１４の下部支柱１４ｃ、２つの中間支柱１４ｂを上部支柱１４ａから分離する。この分離は、荷重ワイヤＷＨが中間支柱と下部支柱の内部に通されていないので、荷重ワイヤＷＨをつけ替えずに実施することができる。
【００３９】
作業の終段には、図５Ｅに示すように、デリック本体Ｃを地上に設置した状態で使用する。このとき、デリック本体Ｃは地上に届いた上部支柱１４ａで支持されるため、サポート材１５は撤去され、代りに好ましくは４本の倒れ止め用の斜地支線Ｗｃとこれも好ましくは４本の水平支線Ｗａを張設する。この状態でデリック１０を使用した解体作業を上記と同一手順で実施する。
【００４０】
以上により鉄塔の大部分が撤去される。従って、この後は、図５Ｆに示すようにデリック１０の解体、撤去を行なう。まずブーム１１を水平に倒して解体する｛図５Ｆ（ａ）｝。次いで、トラスポスト１２と架台１３を解体する｛図５Ｆ（ｂ）｝。そして最後に、残っている上部支柱１４ａと倒れ止め用の斜地支線Ｗｃと水平支線Ｗａを撤去する｛図５Ｆ（ｃ）｝。また、高さ位置Ｈ１で残る主柱材ＴＦ及びその下方に埋め込まれている鉄塔基礎部（図示せず）は他の方法で撤去する。
【００４１】
なお、上記の説明は、鉄塔の解体作業を例に挙げて行ったが、鉄塔の組立も、解体作業と反対の手順でデリックを操作して作業を行うこができる。又、デリック１０は、運搬する際には図２の状態に分解することができ、さらに、ブーム１１、支柱１４、サポート材１５もさらに複数個に分解して搬送することができる。
【００４２】
このほか、実施形態のデリック１０は、高さ３０ｍ程度の中規模の鉄塔（大規模の鉄塔は高さ１００ｍ程度のものがある）を解体、組立する作業用のもので、吊り荷重（定格）は約０．５トン程度である。但し、吊り荷重はこの範囲に限定されるものではなく、構造材の強度、サイズ等を変更することで吊り荷重の変動に対応することができる。
【産業上の利用可能性】
【００４３】
この発明の簡易組立式デリックは、鉄塔の主柱材内に設置して送電用鉄塔などを解体又は組立するのに広く利用できる。
【符号の説明】
【００４４】
１      金車（滑車）
２      吊上げワイヤ
３ａ，３ｂ  ウインチ
３ｃ    起伏ウインチ
１０    簡易組立式デリック
１１    ブーム
１２    トラスポスト
１３    架台
１３ｂ  旋回軸
１４    支柱
１５    サポート材
１６ａ〜１６Ｊ  金車
Ｓ    保持手段
Ｔ      鉄塔
ＴＦ      鉄塔の主柱材
Ｃ      デリック本体
Ｗａ    振れ止め用の水平支線
Ｗａｓ  補助水平支線
Ｗｂ    せり移動用吊りワイヤ
Ｈ１〜Ｈ６    高さ位置
ＷＬ    起伏ワイヤ
ＷＨ    荷重ワイヤ
【図１】
0005535719.tif 000002
【図２】
0005535719.tif 000003
【図３Ａ】
0005535719.tif 000004
【図３Ｂ】
0005535719.tif 000005
【図３Ｃ】
0005535719.tif 000006
【図３Ｄ】
0005535719.tif 000007
【図４】
0005535719.tif 000008
【図５Ａ】
0005535719.tif 000009
【図５Ｂ】
0005535719.tif 000010
【図５Ｃ】
0005535719.tif 000011
【図５Ｄ】
0005535719.tif 000012
【図５Ｅ】
0005535719.tif 000013
【図５Ｆ】
0005535719.tif 000014